(57)【要約】【課題】  本発明は、アイリスモード切換スイッチの誤操作を防止すると共に、アイリスモード切換の必要が生じた時には、即座に切換えることが可能なテレビレンズを提供するものである。【解決手段】  アイリスのモード切換が必要な時と、不要な時で複数のスイッチキャップを使い分けることで、モード切換ＳＷの誤操作からくる撮影時のトラブルを防止している。【選択図】  図１
2005091592.tif 000002
【特許請求の範囲】
【請求項１】
光学手段を通過する光量を調節するアイリス調整手段をマニュアルで操作するマニュアルモードと、モータで制御するオートモードの２つのモードのいずれか１つを選択するアイリスモード切換手段を有するレンズ装置において、
前記アイリスモード切換手段によるモード切換の操作に応じて前記切換手段と一体的に可動し、前記切換手段と着脱可能な第一のキャップと、
前記アイリスモード切換手段によるモード切換の操作を規制する形状を有し、前記切換手段と着脱可能な第二のキャップとが取り付く構造であることを特徴とするレンズ装置。
【請求項２】
第一のキャップ及び／又は第二のキャップを格納する収納手段を有する請求項１記載のレンズ装置。
【請求項３】
光学手段を通過する光量を調節するアイリス調整手段をマニュアルで操作するマニュアルモードと、モータで制御するオートモードの２つのモードのいずれか１つを選択するアイリスモード切換手段を有するレンズ装置において、
前記アイリスモード切換手段によるモード切換の操作に応じて前記切換手段と一体的に可動又は前記アイリスモード切換手段によるモード切換の操作を規制する形状を有し、前記切換手段と着脱可能なキャップと、前記キャップを格納する収納手段と、を備え、
前記収納手段は、前記レンズ装置の保持用のドライブユニットの甲あて部に設けられていることを特徴とするレンズ装置。
【請求項４】
テレビ撮影用のレンズ装置において、
前記レンズ装置のテレビ撮影に使用される操作部材を収納する収納部材を保持することを特徴とするレンズ装置。
【請求項５】
請求項１〜４のいずれか一項記載のレンズ装置と、前記レンズ装置に着脱可能なカメラ装置を備えた撮影装置。
【発明の詳細な説明】
【技術分野】
【０００１】
本発明はレンズ装置、特にテレビジョン撮影等に用いられる撮影装置に好適なものである。
【背景技術】
【０００２】
テレビレンズは、カメラマンが撮影状況に応じてテレビ撮影に用いるテレビレンズの光量を調整をするアイリス調整手段を有する（例えば、特許文献１〜４）。
【０００３】
テレビ撮影に用いるテレビレンズにおいて、アイリスをマニュアルで操作するマニュアルモードと、カメラやカメラコントロールユニットからの信号に基づいて、モータで自動制御するオートモードの２つのモードがあり、カメラマンが撮影状況に応じてこの２つのモードを切換えて撮影している。一般にハンディタイプのテレビレンズには、右手でレンズを保持するためのドライブユニットがレンズ近傍に装着してあり、ドライブユニットの外装面にアイリスモード切換を行うスライドスイッチを設け、このスライドスイッチを覆うスイッチャップを操作してアイリスのモード切換を行う。特に報道現場の撮影では、アイリスのモード切換を頻繁に行うケースが多いため、スライドＳＷはドライブユニットを右手で保持した時に操作しやすい位置に配置するのが一般的である。
【０００４】
一方スタジオ番組では、カメラマンはフォーカスとズーム操作に専念し、アイリスはカメラマンとは別のビデオエディタ担当者がモニターを見ながらカメラコントロールユニットを用いて調整し、映像を収録する手法が一般的である。そのため、カメラマンはマニュアルでアイリス操作をするケースは少なく、ビデオエディタ担当者が遠隔制御できるようにアイリスのモード切換をオートモードに設定して撮影している。
【０００５】
しかしカメラマンが撮影中にこのモード切換ＳＷを誤操作して手動モードに設定し、ビデオエディタ担当者が意図するアイリス値に制御できない撮影上のトラブルを生じるケースがある。このような撮影上の不具合を回避するために、カメラマンはオートモードで撮影すると決めた場合は、アイリスモード切換を行うスライドＳＷのキャップを取り外し、スイッチ操作できない状態にする。さらにＳＷキャップを外したことにより、ドライブユニットの中にゴミが入ることのないように、その上をガムテープで塞いでテレビレンズを運用している。
【特許文献１】特開２００２−０９８８８１号公報
【特許文献２】特開２０００−３３８３８１号公報
【特許文献３】特開２０００−１８０６９４号公報
【特許文献４】特開平１１−３５２３８２号公報
【発明の開示】
【発明が解決しようとする課題】
【０００６】
しかし、上記対策ではアイリスを手動で操作する必要が生じた時に、アイリスモード切換用のスイッチキャップを保管場所から持ち出す手間を要することや、取り外したスイッチキャップ自体を紛失するケースが多いという欠点がある。さらに、ドライブユニットの外装面に貼ったガムテープを剥がしてスイッチキャップを取り付けるため、ＳＷ操作時に手先がべとつき、快適なレンズ操作の妨げとなる欠点がある。
【０００７】
本発明は、アイリスモード切換スイッチの誤操作を防止すると共に、アイリスモード切換の必要が生じた時には、即座に切換えることが可能なテレビレンズを提供するものである。
【課題を解決するための手段】
【０００８】
上記問題点を解決するために、本発明の請求項１のレンズ装置は、光学手段を通過する光量を調節するアイリス調整手段をマニュアルで操作するマニュアルモードと、モータで制御するオートモードの２つのモードのいずれか１つを選択するアイリスモード切換手段を有するレンズ装置において、
前記アイリスモード切換手段によるモード切換の操作に応じて前記切換手段と一体的に可動し、前記切換手段と着脱可能な第一のキャップと、
前記アイリスモード切換手段によるモード切換の操作を規制する形状を有し、前記切換手段と着脱可能な第二のキャップとが取り付く構造とする。
【０００９】
本発明の請求項２のレンズ装置は、請求項１において、第一のキャップ及び／又は第二のキャップを格納する収納手段を有する。
【００１０】
本発明の請求項３のレンズ装置は、光学手段を通過する光量を調節するアイリス調整手段をマニュアルで操作するマニュアルモードと、モータで制御するオートモードの２つのモードのいずれか１つを選択するアイリスモード切換手段を有するレンズ装置において、
前記アイリスモード切換手段によるモード切換の操作に応じて前記切換手段と一体的に可動又は前記アイリスモード切換手段によるモード切換の操作を規制する形状を有し、前記切換手段と着脱可能なキャップと、前記キャップを格納する収納手段と、を備え、
前記収納手段は、前記レンズ装置の保持用のドライブユニットの甲あて部に設けられている。
【００１１】
本発明の請求項４のレンズ装置は、レンズ装置のテレビ撮影に使用される操作部材を収納する収納部材を保持する。
【００１２】
本発明の請求項５の撮影装置は、請求項１〜４のいずれか一項記載のレンズ装置と前記レンズ装置に着脱可能なカメラ装置を備えている。
【発明の効果】
【００１３】
本発明によると、アイリスのモード切換が必要な時と、不要な時で複数のスイッチキャップを使い分けることで、モード切換ＳＷの誤操作からくる撮影時のトラブルを防止することができる。
【発明を実施するための最良の形態】
【００１４】
以下に本発明の実施例示す。但し、本発明は、以下に挙げられる実施例に限定されない。本発明の効果を有するものであれば適用できる。
【実施例１】
【００１５】
本発明の第一の実施例を図１〜図６に基づいて詳細に説明する。図１はテレビ撮影で使用するポータブルタイプのズームレンズを例示している。図中１はＴＶカメラでズームレンズ２がマウント１３を介して着脱可能に装着してある。３はアイリスを手動調整する時に操作するアイリス環、９は同じく手動ズームする時に操作するズーム環で、ズーム環９にはズームレバー９ａが着脱可能に付いている。レンズ２の近傍にはドライブユニット４が装着され、内部にはレンズやアイリスを電動駆動するためのモータや制御回路を格納している。１０はドライブユニット４に取り付けた甲あて部材で、ＴＶカメラを肩担ぎする時には右手のひらでドライブユニット４を掴み、甲あて部材１０は手の甲を支える役割を持つ。ドライブユニット４の外装面にはアイリスの手動と自動の２つのモードを切換えるアイリスモード切換部５がある。図２と図３はアイリスモード切換部５の断面を示したものである。図２はアイリスがオートモードの時を示している。図中６はモードを切換えるスライドスイッチで、ドライブユニット筐体４ａに固定したスライドＳＷ本体６ａとスライドスイッチ切換部６ｂで構成される。７はスイッチキャップで、スイッチキャップの係合部７ａはスライドスイッチ切換部６ｂと係合している。スイッチキャップ７をスライド操作すると、図３に示すようにスライドスイッチ切換部６ｂが切換わりアイリスは手動モードとなる。また、このスイッチキャップ７は、外部より容易に取り外すことが可能である。
【００１６】
図４はスイッチキャップ８の形状を図２及び図３で示したスイッチキャップ７とは異なる形状にすることで、アイリスのモード切換ができないようにした構造を表している。スイッチキャップ８以外の構成部品は図２及び図３と同一である。スライドスイッチ切換部６ｂはアイリスがオートモードの状態に設定され、スイッチキャップ８はスライドスイッチ切換部６ｂと係合している。この時スイッチキャップ７のスライド方向の端部側面８ａ及び８ｂはそれぞれドライブユニット筐体４ｃ及び４ｂと接しているため、スイッチキャップは操作に関わらずスライド動作が規制され、アイリスは常にオートモードの設定に固定される。すなわち、スイッチキャップの誤操作で、モード設定が変更することを防止することができる。このスイッチキャップも図２のスイッチキャップ７同様に、外部より容易に取り外すことができる。図５は、図４を上面から見た図である。スイッチキャップ８の上面には、アイリスがオートモードに固定した状態が判別できるようにＬＯＣＫの表記があり、１台のテレビカメラを数人で使い回しをする場合においても、アイリスのモード切換が可能か、あるいは片側のモードに固定しているかが、容易に識別できるようになっている。
【００１７】
このような着脱可能なスイッチキャップを１つのレンズに複数用意し、撮影用途に応じて変更することで、アイリスをオートモードに固定、あるいは手動とオートに切換可能にすることができる。即ち、常に片側のアイリスモードで撮影する時には、スイッチキャップを取り替えることで、切換スイッチの誤操作によるトラブルのない撮影が可能となる。図４と図５はアイリスをオートに固定するスイッチキャップを例示したが、同様にアイリスを手動モードに固定するスイッチキャップを容易することも可能である。
【００１８】
このように数種類のスイッチキャップを使い分けて誤操作を防止する手段は、構造がシンプルで安価に構成でき、また構造が複雑でないために壊れにくいメリットがあり、堅牢性を重視するテレビレンズには好適なものである。
【００１９】
図６はドライブユニット４に取り付く甲あて部材１０の詳細を表した図である。合成皮革から成る甲あて部材１０の外側には、同じく合成皮革の収納袋１１が縫い付けられ、表面にはマジックテープ１１ａを取り付けている。また収納袋１１の上部には合成皮革のフタ部１２そして内側にはマジックテープ１２ａを固定している。本実施例では、スイッチキャップを複数有しているので、使用していないスイッチキャップの紛失を防ぎ、尚且つスイッチキャップの取換えが必要とする時に迅速に交換できるように、未使用のスイッチキャップを収納袋１１に格納している。フタ部１２はスイッチキャップの落下を防ぐために、収納後図中矢印の方向に閉じ、マジックテープ１１ａと１２ａで固定する。このような収納手段を甲あて部の外側に設けることは、収納スペースがドライブユニット４にある各種スイッチのスイッチ操作の妨げにならないメリットがある。
【００２０】
このように甲あて部１０に設けた収納手段は、アイリスモード切換のスイッチキャップの収納に限るものではない。例えば、ズーム環９に着脱可能なズームレバー９ａを使用しない時に、一時的に格納するために用いても良いし、また撮影に関わる様々な部材を格納することにも利用できる。また、このような収納手段は甲あて部１０に限らず、テレビレンズの別の箇所に設けても構わない。
【００２１】
以上説明したように本実施例によると、アイリスのモード切換が必要な時と、不要な時で複数のスイッチキャップを使い分けることで、モード切換ＳＷの誤操作からくる撮影時のトラブルを防止することができる。また、レンズに格納部を設けることで、複数のスイッチＣＡＰを即座に交換できるため、様々な撮影条件に適した快適な撮影を行うことができる。
【図面の簡単な説明】
【００２２】
【図１】本実施形態のテレビレンズの外観図
【図２】アイリスモード切換スイッチの説明図
【図３】アイリスモード切換スイッチの説明図
【図４】アイリスモード切換スイッチの説明図
【図５】アイリスモード切換スイッチの説明図
【図６】格納手段の説明図
【符号の説明】
【００２３】
１  カメラ
２  レンズ
３  アイリス環
４  ドライブユニット
５  アイリスモード切換部
６  スライドスイッチ
７  スイッチキャップ
８  スイッチキャップ
９  ズーム環
１０  甲あて部
１１  収納袋
１２  マジックテープ
【図１】
2005091592.tif 000003
【図２】
2005091592.tif 000004
【図３】
2005091592.tif 000005
【図４】
2005091592.tif 000006
【図５】
2005091592.tif 000007
【図６】
2005091592.tif 000008